【事件の表示】
　特許第５８６９６３９号発明「摂取可能なイベントマーカの高生産性製造」の特許異議申立事件について、次のとおり決定する。
【結　論】
　特許第５８６９６３９号の特許請求の範囲を、訂正請求書に添付された特許請求の範囲のとおり、訂正後の請求項［１０〜１９］、２３について訂正することを認める。
　本件特許異議の申立てを却下する。
【理　由】
１．手続の経緯
　特許第５８６９６３９号の請求項１〜２３に係る特許についての出願は、平成２８年１月１５日付けでその特許権の設定登録がされ、その後、特許異議申立人藤井秀朗より請求項１０〜１９、２３に対して特許異議の申立て（以下、「本件特許異議の申し立て」という。）がされ、平成２８年１１月２１日付けで取消理由が通知され、平成２９年２月１７日に意見書の提出及び訂正請求（以下、この訂正請求による訂正を「本件訂正」という。）がされたものである。
　
２．本件訂正の適否
（１）本件訂正の内容
ア　特許請求の範囲の請求項１０〜１９を削除する。
イ　特許請求の範囲の請求項２３を削除する。
　
（２）本件訂正の目的の適否、新規事項の有無、一群の請求項及び特許請求の範囲の拡張・変更の存否
　本件訂正は、特許請求の範囲の減縮を目的とし、新規事項の追加に該当せず、一群の請求項ごとに請求された訂正であり、実質上特許請求の範囲を拡張し、又は変更するものではない。
　
（３）小括
　したがって、本件訂正は、特許法第１２０条の５第２項ただし書第１号に掲げる事項を目的とするものであり、かつ、同条第９項で準用する同法第１２６条第４項から第６項までの規定に適合するので、訂正を認める。
　
３．当審の判断
　請求項１０〜１９、２３に係る特許は、訂正により削除されたため、本件特許異議の申立てについては、対象となる請求項が存在しない。
　よって、結論のとおり決定する。
【異議決定日】
平成２９年３月９日（２０１７．３．９）
【訂正の要旨】
審決（決定）の【理由】欄参照。
（５７）【特許請求の範囲】
　【請求項１】
　摂取可能なイベントマーカ識別子およびキャリアを含む摂取可能なイベントマーカを製造するために摂取可能なイベントマーカ識別子をキャリアに接着するように構成された自動組立装置
　を備えたシステムであって、
　前記摂取可能なイベントマーカ識別子は、
　導電性信号を発するように構成された集積回路部品と、
　前記集積回路部品の上方に配置された第１の材料からなる第１の電極と、
　前記集積回路部品の下方に配置された前記第１の材料とは異なる第２の材料からなる第２の電極であって、前記第１の電極および前記第２の電極は、標的部位の流体と接触すると、前記集積回路部品を電流が流れることにより、前記集積回路部品内の１つ以上の機能ブロックに前記導電性信号を発せさせるように構成されている、第２の電極と
　を含み、
　前記自動組立装置は、
　前記摂取可能なイベントマーカ内で前記キャリアに組み込まれる前記摂取可能なイベントマーカ識別子の操作を確認するように構成された操作検出器を含む品質管理装置であって、前記操作検出器は、前記集積回路部品が操作可能であることを確認するように構成された近接場無線周波数装置を含む、品質管理装置と、
　前記摂取可能なイベントマーカ識別子を前記キャリアの内部に、前記キャリアの外部に、前記キャリアの表面上に、または前記キャリアと一体的にのうちのいずれか１つで接着することにより、前記摂取可能なイベントマーカを製造するための手段と
　を含む、システム。
　【請求項２】
　前記自動組立装置は前記摂取可能なイベントマーカ識別子を、接着剤を用いて前記キャリアに接着するように構成された、請求項１に記載のシステム。
　【請求項３】
　前記摂取可能なイベントマーカ識別子は前記キャリアの接着を機械的に提供する要素を含む、請求項１に記載のシステム。
　【請求項４】
　前記自動組立装置は前記キャリアの表面上に前記摂取可能なイベントマーカ識別子の１つ以上の部品を印刷するように構成された、請求項１に記載のシステム。
　【請求項５】
　前記自動組立装置はキャリア前駆体に接着された前記摂取可能なイベントマーカ識別子を製造するように構成された、請求項１に記載のシステム。
　【請求項６】
　前記自動組立装置は前記摂取可能なイベントマーカ識別子に被覆物を適用するように構成された、請求項１に記載のシステム。
　【請求項７】
　前記被覆物は不透明であり、前記キャリアに接着された前記摂取可能なイベントマーカ識別子を隠すように構成された、請求項６に記載のシステム。
　【請求項８】
　前記自動組立装置は前記システムの包装装置と一体化された、請求項１に記載のシステム。
　【請求項９】
　前記システムは、
　摂取可能なイベントマーカを製造する摂取可能なイベントマーカ製造装置と、
　前記摂取可能なイベントマーカを検査する品質管理検査装置と、
　前記摂取可能なイベントマーカの前記摂取可能なイベントマーカ識別子をプログラムするプログラミング装置と、
　前記摂取可能なイベントマーカに署名を関連付ける署名要素装置と、
　前記摂取可能なイベントマーカに組み込まれる包装物を製造する包装装置と
　からなる群から選択された要素を備える、請求項１に記載のシステム。
　【請求項１０】（削除）
　【請求項１１】（削除）
　【請求項１２】（削除）
　【請求項１３】（削除）
　【請求項１４】（削除）
　【請求項１５】（削除）
　【請求項１６】（削除）
　【請求項１７】（削除）
　【請求項１８】（削除）
　【請求項１９】（削除）
　【請求項２０】
　医薬品および摂取可能なイベントマーカ識別子装置を含む、摂取可能なイベントマーカを製造するためのプロセスであって、前記摂取可能なイベントマーカ識別子装置は、前記医薬品に固定されており、前記プロセスは、錠剤の形態で前記医薬品を自動組立装置に提供するステップを含み、前記自動組立装置は、
　接着剤供給装置を用いて接着剤面を持つ錠剤を製造するように、前記錠剤の一表面上に規定量の接着剤を配置することと、
　デバイス供給装置を用いて前記摂取可能なイベントマーカを製造するように、前記摂取可能なイベントマーカ識別子装置を前記接着剤面を持つ錠剤に固定することと
　を含むステップを通して前記摂取可能なイベントマーカを製造し、
　前記摂取可能なイベントマーカ識別子装置は、集積回路部品を含み、前記集積回路部品は、第１の材料からなる第１の電極と、前記第１の材料とは異なる第２の材料からなる第２の電極とを含み、
　前記第１の電極および前記第２の電極は、前記第１の材料および前記第２の材料が導電性流体に接触すると起動される集積回路のための電源を形成する、プロセス。
　【請求項２１】
　前記自動組立装置は保護用被覆供給装置を用いて、前記摂取可能なイベントマーカに保護用被覆物を配置することを含むステップをさらに実行する、請求項２０に記載のプロセス。
　【請求項２２】
　粉末供給装置、圧縮装置、およびデバイス供給装置を含む自動組立装置を用いて医薬品および摂取可能なイベントマーカ識別子装置から摂取可能なイベントマーカを製造するためのプロセスであって、前記摂取可能なイベントマーカは、前記医薬品に接着された前記摂取可能なイベントマーカ識別子装置を含み、前記プロセスが、
　前記粉末供給装置を用いて前記自動組立装置の錠剤ダイに、第１の部分の粉末形状の前記医薬品を供給するステップと、
　前記デバイス供給装置を用いて前記自動組立装置の前記錠剤ダイ内に前記摂取可能なイベントマーカ識別子装置を配置するステップであって、前記摂取可能なイベントマーカ識別子装置は、集積回路部品を含み、前記集積回路部品は、第１の材料からなる第１の電極と、前記第１の材料とは異なる第２の材料からなる第２の電極とを含み、前記第１の電極および前記第２の電極は、前記第１の材料および前記第２の材料が導電性流体に接触すると起動される集積回路のための電源を形成する、ステップと、
　前記自動組立装置の前記錠剤ダイに、第２の部分の粉末形状の前記医薬品を供給するステップと、
　前記摂取可能なイベントマーカを形成するために前記圧縮装置を用いて前記錠剤ダイの内容物を圧縮するステップと
　を含む、プロセス。
　【請求項２３】（削除）